(57)【要約】  気流搬送される紙シートの連続乾燥用の設備の対流乾燥領域に高温ガスを吹き出すノズル箱は、乾燥させるべき紙シートの平均平面に対して垂直な高温ガスの噴流を噴出する少なくとも１つの直接衝突ノズルを備える。ノズル箱は、乾燥させるべき紙シートの平均平面に対して傾斜角度で高温ガスの噴流を噴出する複数の傾斜噴射ノズルを備える。少なくとも２つの傾斜噴射ノズルの噴射方向のベクトル表示を含む平面が直接衝突ノズルの噴射方向を表すベクトルを含まない少なくとも２つの傾斜噴射ノズルが設けられる。
2018523087.tif 000002
【特許請求の範囲】
【請求項１】
気流搬送される紙シートの連続乾燥用の設備の前記対流乾燥領域に高温ガスを吹き出すノズル箱であって、
乾燥させるべき前記紙シートの平均平面に対して垂直な高温ガスの噴流を噴出する少なくとも１つの直接衝突ノズルと、
複数の傾斜噴射ノズルであって、乾燥させるべき前記紙シートの前記平均平面に対して傾斜角度で高温ガスの噴流を噴出するように設けられる前記傾斜噴射ノズルを備え、
少なくとも２つの傾斜噴射ノズルの前記噴射方向のベクトル表示を含む前記平面が直接衝突ノズルの前記噴射方向を表す前記ベクトルを含まない前記少なくとも２つの傾斜噴射ノズルが設けられる、ノズル箱。
【請求項２】
前記ノズル箱が少なくとも３つの傾斜噴射ノズルを備え、前記少なくとも３つの傾斜噴射ノズルの各々が、使用時の各傾斜噴射ノズルの噴射方向を表すベクトルを有し、前記少なくとも３つの傾斜噴射ノズルの前記ベクトルの各々が、３次元空間において異なる方向を有する、請求項１に記載のノズル箱。
【請求項３】
前記傾斜噴射ノズルが、第１の組の傾斜噴射ノズルと、第２の組の傾斜噴射ノズルとを備えるか、またはこれらからなり、前記第１の組の傾斜噴射ノズルが、第１の方向に吹き出すように設けられ、かつ前記第２の組の傾斜噴射ノズルが、第２の方向に吹き出すように設けられ、かつ前記第１の方向が前記第２の方向に対して垂直である、請求項１または２に記載のノズル箱。
【請求項４】
前記ノズル箱が、ガス排出用の吸込み開口を備える、請求項１〜３のいずれか一項に記載のノズル箱。
【請求項５】
前記ノズル箱が、前記ノズル箱上に複数のノズルユニットを備え、前記ユニットの各々が、
乾燥させるべき前記紙シートの前記平均平面に対して垂直な高温ガスの噴流を噴出する少なくとも１つの直接衝突ノズルと、
複数の傾斜噴射ノズルであって、乾燥させるべき前記紙シートの前記平均平面に対して傾斜角度で高温ガスの噴流を噴出するように設けられる前記傾斜噴射ノズルを備え、
少なくとも２つの傾斜噴射ノズルの前記噴射方向のベクトル表示を含む前記平面が前記ノズルユニットの直接衝突ノズルの前記噴射方向を表す前記ベクトルを含まない前記ノズルユニットの前記少なくとも２つの傾斜噴射ノズルが設けられる、請求項１〜４のいずれか一項に記載のノズル箱。
【請求項６】
ガス排出用の吸込み開口が、前記ノズル箱におけるノズルユニット間に設けられる、請求項５に記載のノズル箱。
【請求項７】
ノズルユニットが、前記ノズル箱に取り付けられたノズルヘッドとして設けられる、請求項５または６に記載のノズル箱。
【請求項８】
前記少なくとも１つの直接衝突ノズルが、前記ノズルユニットの中心部に設けられ、かつ前記傾斜噴射ノズルが、前記少なくとも１つの直接衝突ノズルを取り囲む、請求項５〜７のいずれか一項に記載のノズル箱。
【請求項９】
前記傾斜噴射ノズルの第１の部分が、前記少なくとも１つの直接衝突ノズルに向けて内側に吹き出すように設けられ、かつ前記傾斜ノズルの第２の部分が、前記少なくとも１つの直接衝突ノズルから離れる方向に吹き出すように設けられる、請求項８に記載のノズル箱。
【請求項１０】
ノズルユニット内の前記傾斜噴射ノズルは、前記傾斜噴射ノズルの作動時に、前記傾斜噴射ノズルの前記噴流が前記ノズル箱に対して垂直な周方向に等間隔に分布する平面に存在するように設けられる、請求項５〜９のいずれか一項に記載のノズル箱。
【請求項１１】
請求項１〜１０のいずれか一項に記載のノズル箱を備え、前記ノズル箱が、前記紙シートの搬送用の前記設備内で利用可能な幅にわたって延びる、紙シートの連続気流搬送式乾燥用の設備。
【請求項１２】
請求項１〜１０のいずれか一項に記載の１つまたは２つ以上のノズル箱は、前記噴射方向を表しかつ前記ノズル箱の前記傾斜噴射ノズルの前記噴射衝撃を強度として有する前記ベクトルのベクトル和が、前記乾燥設備を通る前記紙シートの前記搬送方向と反対方向を指すように設けられる、請求項１１に記載の設備。
【請求項１３】
前記設備が請求項１〜１０のいずれか一項に記載の多数のノズル箱を備え、かつ少なくとも２つの連続するノズル箱が、前記２つの連続するノズル箱の前記第１のノズル箱におけるノズルユニットの位置と前記２つの連続するノズル箱の前記第２のノズル箱におけるノズルユニットの位置とを比較して千鳥状に配置される前記ノズルユニットを備える、請求項１１または１２に記載の設備。
【請求項１４】
紙シートの連続乾燥のための方法であって、
連続乾燥用の設備が請求項１１〜１３のいずれか一項に示すように使用され、
紙シートが、連続乾燥用の前記設備内で前記紙シートを乾燥させるために前記設備を通して搬送され、
前記紙シートは、前記紙シートの前記縁が機械的手段により保持されずに前記設備内で気流搬送され、
前記紙シートが、前記乾燥設備を通る前記紙シートの前記搬送方向に波状にうねり、
かつ前記紙シートが、前記乾燥設備を通る前記紙シートの前記搬送方向に対して垂直な前記方向に波状にうねる、方法。
【請求項１５】
前記噴射方向を表しかつ前記ノズル箱の前記傾斜噴射ノズルの前記噴射衝撃を大きさとして有する前記ベクトルの前記ベクトル和が、前記乾燥設備を通る前記紙シートの前記搬送方向と反対方向を指す、請求項１４に記載の方法。
【発明の詳細な説明】
【技術分野】
【０００１】
本発明は、連続気流搬送（または浮遊）式紙シート乾燥設備用のノズル箱の技術分野に関する。本発明は更に、かかるノズル箱を備える、紙または板紙シートの連続気流搬送式乾燥用の設備と、かかる設備の動作方法とに関する。
【背景技術】
【０００２】
対流乾燥によるまたは放射乾燥と対流乾燥の組み合わせによる気流搬送または（浮遊）式紙または板紙シート乾燥が知られている。紙シート、例えば、塗工紙シートは、紙シートの側縁が乾燥室内に機械的に保持されずに、乾燥に使用される熱風により運ばれるかまたは浮遊させられる。かかる乾燥システムは、効率的な乾燥と、乾燥システムを通して搬送される紙シートの気流搬送による正確な浮遊とをもたらさなければならない。
【０００３】
米国特許第３８２３４８８号明細書は浮遊乾燥機を開示している。拡げた材料ウェブを流体クッションにより浮遊状態で案内する装置は、材料ウェブが配置される平面に平行な方向に互いに隣接して位置する複数のノズル箱を含む。ノズル箱には、ウェブの進行方向に対して横断方向に傾斜したそれぞれの噴射ノズルが形成される。戻り流路は、噴射ノズルからウェブに吹き付けられた流体を除去するために設けられる。戻り流路は、ウェブの進行方向にノズル箱と交互に配置される。戻り流路は、それぞれの隣り合うノズル箱により画定された開口空隙である。傾斜噴射ノズルは、戻り流路各々の両側にそれぞれ配置される。傾斜ノズルは、スロットノズルまたは孔ノズルとすることができる。傾斜噴流に加えて、噴流が材料ウェブおよび／または対向するノズル箱に対して垂直方向にも方向付けられる場合に、乾燥性能を更に向上させることができる。
【０００４】
米国特許第６５９８３１５Ｂ１号明細書は、塗工紙ウェブなどを乾燥させるための気流搬送式ウェブ乾燥装置内のノズル配列を開示している。ノズル配列は、ウェブの進行方向と、ウェブの進行方向と逆方向との両方向に乾燥空気を吹き出すように配設される、少なくとも１つの過圧ノズルを備える。ノズル配列は更に、過圧ノズルの出口側および／または入口側に結合された直接衝突ノズルを備える。直接衝突ノズルには、乾燥空気をウェブに向けて垂直方向に吹き出すように複数のノズルスロットまたはノズル穴が形成される。直接衝突ノズルのノズル面からウェブまでの垂直距離は、過圧ノズルの支持面からの垂直距離よりも大きい。紙ウェブの進行方向に連続するノズル配列間には、湿潤空気の排出のために吐出通路が設けられる。吐出通路間の一連のノズル配列が、気流搬送される紙ウェブの上方と下方の両方に設けられる。生成された空気流により、紙ウェブは紙ウェブの搬送方向に波状にうねる。
【発明の概要】
【発明が解決しようとする課題】
【０００５】
本発明の目的は、より効率的な紙乾燥をもたらす、連続紙シートまたは板紙乾燥設備で使用するノズル箱を開示することである。本発明の目的は、より効率的な紙乾燥をもたらす、かかる１つまたは複数のノズル箱を備える対流乾燥設備を開示することである。
【課題を解決するための手段】
【０００６】
本発明の第１の態様は、気流搬送される紙シートの連続乾燥用の、例えば、気流搬送される塗工紙シートの連続乾燥用の設備の対流乾燥領域に高温ガスを吹き出すノズル箱である。本発明に関して、「紙シート」という用語は、板紙を含むものとして理解されなければならない。好ましくは、ノズル箱は、連続乾燥設備の幅にわたって設置されるように設けられる。ノズル箱は、乾燥させるべき紙シートの平均平面に対して垂直な高温ガスの噴流を噴出する少なくとも１つの直接衝突ノズルを備える。ノズル箱は、乾燥させるべき紙シートの平均平面に対して傾斜角度で高温ガスの噴流を噴出する複数の傾斜噴射ノズルを備える。複数とは少なくとも２つを意味する。ノズル箱は、少なくとも２つの傾斜噴射ノズルの噴射方向のベクトル表示を含む平面が直接衝突ノズルの噴射方向を表すベクトルを含まない少なくとも２つの傾斜噴射ノズルを備える。この文書では、ベクトルは、ノズルにより噴出させる高温ガスの平均噴流の３次元空間における方向を示す。関連する場合、ベクトルの強度は、ノズルが使用されているときのノズルの噴射衝撃に等しい。３次元空間におけるベクトルの方向を維持しながら、ベクトルを他の起点に置くことができるという意味で、ベクトルは、その起点から独立していると見なされるべきである。３つのベクトル（衝突ノズルの噴射方向を表すベクトルと、２つの傾斜噴射ノズルのうちの１つの傾斜噴射ノズルの噴射方向を各々表す２つのベクトル）が１つの平面内にあるか否かを評価するために、３つのベクトルが同じ起点に置かれ、同じ起点に置かれたときの３つのベクトルが３次元空間における１つの平面内に位置しているか否かが観察される。好ましくは、ノズル箱は、乾燥させるべき紙シートの平均平面に対して垂直な高温ガスの噴流を噴出する複数の直接衝突ノズルを備える。
【０００７】
本発明のノズル箱は、気流搬送される紙シートの連続乾燥用の乾燥機内の対流乾燥領域で使用された場合に、従来技術のノズル箱と比較してより効率的な乾燥をもたらすことを示している。ノズル箱は、紙シートの側縁部がチェーンシステムまたはピンシステムなどの機械システムにより保持も案内もされずに、効率的な乾燥と、ノズル箱のノズルにより噴出させた高温ガスによる紙シートの正確な浮遊との所要の組み合わせを提供する。ノズル箱は、高い対流力密度を提供する。本発明のノズル箱による良好な結果は完全に理解されていないが、いくつかの方向における乱流の存在が乾燥効率を高めると考えられている。更に、気流搬送される紙シートのより均一な乾燥を得ることができる。
【０００８】
ノズルは、直接衝突ノズルであれ傾斜噴射ノズルであれ、例えば、板材にもしくは鋳造金属に円形孔（もしくは穴）として、板材にもしくは鋳造金属にスロットとして、または円錐台形状の噴射ノズルとして設けることができる。
【０００９】
好ましくは、１つまたは複数の直接衝突ノズルの噴射方向に対する傾斜噴射ノズルの噴射方向の角度は、２０〜７５°、例えば３０°である。
【００１０】
好ましい実施形態において、傾斜噴射ノズルは、ノズル箱における傾斜面に貫通孔または貫通スリットとして設けられ、貫通孔または貫通スリットが傾斜面に対して垂直である。
【００１１】
好ましくは、ノズル箱は、高温ガス室を備える。高温ガス室は、衝突ノズルによりかつ傾斜噴射ノズルにより噴出させるべき高温ガスを少なくとも１つの直接衝突ノズルおよび複数の傾斜噴射ノズルに供給するために設けられる。
【００１２】
好ましい実施形態において、傾斜噴射ノズルは、ノズル箱に取り付けられるノズルヘッドに設けられる。好ましくは、ノズルヘッドは、例えば、ノズル箱におけるボルトまたはリベットによって、機械的に取り付けられる。より好ましくは、ノズルヘッドは、機械的に交換可能にノズル箱に取り付けられ、その結果、ノズルヘッドをノズル箱において交換することができる。ノズルヘッドは、例えば、孔および／もしくはスロットを穿孔または加工することによってノズルヘッドにノズルが設けられた、例えば、鋳造金属部品を備えることができる。
【００１３】
好ましくは、ノズル箱は、少なくとも３個（好ましくは少なくとも４個、より好ましくは少なくとも５個、より好ましくは少なくとも６個、より好ましくは少なくとも７個、より好ましくは少なくとも８個、より好ましくは少なくとも９個、より好ましくは少なくとも１０個、より好ましくは少なくとも１１個、より好ましくは少なくとも１２個、例えば１２個）の傾斜噴射ノズルを備え、少なくとも３個（好ましくは少なくとも４個、より好ましくは少なくとも５個、より好ましくは少なくとも６個、より好ましくは少なくとも７個、より好ましくは少なくとも８個、より好ましくは少なくとも９個、より好ましくは少なくとも１０個、より好ましくは少なくとも１１個、より好ましくは少なくとも１２個、例えば１２個）の傾斜噴射ノズルの各々が、使用時の各傾斜噴射ノズルの噴射方向を表すベクトルを有し、少なくとも３個（好ましくは少なくとも４個、より好ましくは少なくとも５個、より好ましくは少なくとも６個、より好ましくは少なくとも７個、より好ましくは少なくとも８個、より好ましくは少なくとも９個、より好ましくは少なくとも１０個、より好ましくは少なくとも１１個、より好ましくは少なくとも１２個、例えば１２個）の傾斜ノズルのベクトルの各々が、３次元空間において異なる方向を有する。
【００１４】
好ましい実施形態において、傾斜噴射ノズルは、第１の組の傾斜噴射ノズルと、第２の組の傾斜噴射ノズルとを備えるか、またはこれらからなる。第１の組の傾斜噴射ノズルは、第１の方向に吹き出すように設けられ、かつ第２の組の傾斜噴射ノズルは、第２の方向に吹き出すように設けられる。第１の方向は、第２の方向に対して垂直である。好ましくは、第１の方向は、気流搬送される紙シートの連続乾燥用の設備の対流乾燥領域にノズル箱が設置されたときの、紙シートの搬送方向である。そして、好ましくは、第２の方向は、気流搬送される紙シートの連続乾燥用の設備の対流乾燥領域にノズル箱が設置されたときの、乾燥させるべき紙シートの搬送方向を横断する方向である。より好ましくは、傾斜噴射ノズルは、第３の組の傾斜噴射ノズルと、第４の組の傾斜噴射ノズルとを備える。第３の組の傾斜噴射ノズルは、第３の方向に吹き出すように設けられ、かつ第４の組の傾斜噴射ノズルは、第４の方向に吹き出すように設けられる。好ましくは、第１の方向と第３の方向との間の傾斜角度が１８０°であり、かつ第２の方向と第４の方向との間の傾斜角度が１８０°である。
【００１５】
好ましくは、ノズル箱は、ガス排出用の吸込み開口を備える。ノズル箱は、例えば、ガス排出用の円形の吸込み開口および／またはスリット状の吸込み開口を備えることができる。
【００１６】
好ましいノズル箱は、ノズル箱上に複数のノズルユニットを備える。ユニットの各々は、
−  乾燥させるべき紙シートの平均平面に対して垂直な高温ガスの噴流を噴出する少なくとも１つの、好ましくは複数の、直接衝突ノズルと、
−  複数の傾斜噴射ノズルであって、乾燥させるべき紙シートの平均平面に対して傾斜角度で高温ガスの噴流を噴出するように設けられる傾斜噴射ノズルを備える。
少なくとも２つの傾斜噴射ノズルの噴射方向のベクトル表示を含む平面がノズルユニットの直接衝突ノズルの噴射方向を表すベクトルを含まないノズルユニットの少なくとも２つの傾斜噴射ノズルが設けられる。好ましくは、ノズルユニットは、ノズル箱に取り付けられたノズルヘッドとして設けられる。好ましくは、ノズルヘッドは、例えば、ボルトまたはリベットを使用してノズル箱に機械的に取り付けられる。更により好ましくは、ノズルヘッドは、例えばボルトによって、ノズル箱に機械的に交換可能な方式で取り付けられる。好ましくは、ガス排出用の吸込み開口は、ノズル箱におけるノズルユニット間に設けられる。より好ましくは、ガス排出用の円形の吸込み開口および／またはスリット状の吸込み開口は、ノズル箱におけるノズルユニット間に設けることができ、ノズルユニットがノズルヘッドとして存在することができる。
【００１７】
好ましくは、ノズルユニットおよび／またはノズルヘッドが使用される場合に、ノズルユニットまたはノズルヘッドは、高温ガス室を備える。高温ガス室は、直接衝突ノズルによりかつ傾斜噴射ノズルにより噴出させるべき高温ガスを少なくとも１つの直接衝突ノズルおよび複数の傾斜噴射ノズルに供給するために設けられる。手段、例えば、管またはパイプが、高温ガス室に高温ガスを供給するためにノズル箱内に設けられる。より好ましくは、ノズル箱内の高温ガス室は、多数のノズルユニット各々の高温ガス室に高温ガスを提供するために配設される。ノズルユニットは、ノズルヘッドとして存在することができる。ノズルヘッドは、例えば、孔および／またはスロットを穿孔または加工することによってノズルがノズルヘッドに設けられた、例えば、鋳造金属部品を備えることができる。
【００１８】
好ましくは、ノズル箱のノズルユニットは、同一のノズル構成を有する。ノズルユニットは、ノズルヘッドとして存在することができる。
【００１９】
好ましい実施形態では、予期せぬ接触が生じた場合の紙を損傷する危険性を防止するためにノズルユニットまたはノズルヘッドの鋭利な角部が回避される。
【００２０】
好ましい実施形態において、ノズルユニットは、ノズル箱上に直線状に位置合わせされ、好ましくはその結果、乾燥装置内に設置されたときに、ノズルユニットは、乾燥設備の幅にわたって直線状に位置合わせされて設けられる。
【００２１】
好ましい実施形態において、ノズルユニットは、ノズル箱上に千鳥状に配置されて設けられ、好ましくはその結果、乾燥装置内に設置されたときに、ノズルユニットは、乾燥装置の幅にわたって千鳥状に配置されて設けられる。例示的な実施形態において、ノズル箱における第１の、第３の、第５のノズルユニットは直線状に位置合わせされ、そして、第２のノズルユニットは、第１のノズルユニットと第３のノズルユニットとの間に千鳥状に配置され、第４のノズルユニットは、第３のノズルユニットと第５のノズルユニットとの間に千鳥状に配置される。偶数番目のノズルユニットは直線状に位置合わせされる。奇数番目のノズルユニットは直線状に位置合わせされるが、偶数番目のノズルユニットと比較して各々千鳥状の位置にある。好ましくは、ノズルユニットの少なくとも一部は、噴射方向がノズルユニット間の空間の方に向けられた傾斜噴射ノズルを備える。好ましくはかかる実施形態において、偶数番目のノズルユニットは、偶数番目のノズル間の空間の方向に吹き出す傾斜噴射ノズルを備える。そして、好ましくはかかる実施形態において、奇数番目のノズルユニットは、奇数番目のノズル間の空間の方向に吹き出す傾斜噴射ノズルを備える。
【００２２】
好ましい実施形態において、ノズルユニットは、少なくとも３個（好ましくは少なくとも４個、より好ましくは少なくとも５個、より好ましくは少なくとも６個、より好ましくは少なくとも７個、より好ましくは少なくとも８個、より好ましくは少なくとも９個、より好ましくは少なくとも１０個、より好ましくは少なくとも１１個、より好ましくは少なくとも１２個、例えば１２個）の傾斜噴射ノズルを備え、少なくとも３個（好ましくは少なくとも４個、より好ましくは少なくとも５個、より好ましくは少なくとも６個、より好ましくは少なくとも７個、より好ましくは少なくとも８個、より好ましくは少なくとも９個、より好ましくは少なくとも１０個、より好ましくは少なくとも１１個、より好ましくは少なくとも１２個、例えば１２個）の傾斜噴射ノズルの各々が、使用時の各傾斜噴射ノズルの噴射方向を表すベクトルを有し、少なくとも３個（好ましくは少なくとも４個、より好ましくは少なくとも５個、より好ましくは少なくとも６個、より好ましくは少なくとも７個、より好ましくは少なくとも８個、より好ましくは少なくとも９個、より好ましくは少なくとも１０個、より好ましくは少なくとも１１個、より好ましくは少なくとも１２個、例えば１２個）の傾斜噴射ノズルのベクトルの各々が、３次元空間において異なる方向を有する。
【００２３】
ノズルユニットがノズルヘッドとして存在する場合、好ましくは、ノズルヘッドは高温ガス室を備える。高温ガス室は、衝突ノズルによりかつ傾斜噴射ノズルにより噴出させるべき高温ガスを少なくとも１つの直接衝突ノズルおよび複数の傾斜噴射ノズルに供給するために設けられる。手段、例えば、管またはパイプが、ノズルヘッドの高温ガス室に高温ガスを供給するためにノズル箱内に設けられる。より好ましくは、ノズルヘッドは金属本体を備え、金属本体が高温ガス室を少なくとも部分的に包囲する。更により好ましくは、ノズルヘッドは全て金属で作製される。
【００２４】
ノズルユニットがノズルヘッドとして存在する場合、好ましくは、ノズルヘッドは鋳造金属で作られた本体を備える。好ましくは、衝突ノズルおよび／または傾斜噴射ノズルは、穿孔または加工された孔および／またはスロットとして本体に設けられる。好ましくは、本体は、ノズルヘッド内の高温ガス室を少なくとも部分的に包囲する。
【００２５】
ノズルユニットを備える好ましいノズル箱（場合によりノズルユニットがノズルヘッドとして存在する）において、少なくとも１つの直接衝突ノズルはノズルユニットの中心部に設けられ、かつ傾斜噴射ノズルは少なくとも１つの直接衝突ノズルを取り囲む。好ましい実施形態において、少なくとも１つの直接衝突ノズルを取り囲む傾斜噴射ノズルの少なくとも一部、より好ましくは全てが、少なくとも１つの直接衝突ノズルに向けて内側に吹き出すように設けられる。好ましい実施形態において、少なくとも１つの直接衝突ノズルを取り囲む傾斜噴射ノズルの第１の部分は、少なくとも１つの直接衝突ノズルに向けて内側に吹き出すように設けられる。少なくとも１つの直接衝突ノズルを取り囲む傾斜噴射ノズルの第２の部分は、少なくとも１つの直接衝突ノズルから離れる方向に吹き出すように設けられる。
【００２６】
好ましい実施形態において、ノズルユニット内の傾斜噴射ノズルは、傾斜噴射ノズルの作動時に、傾斜噴射ノズルの高温ガス噴流がノズル箱に対して垂直な周方向に等間隔に分布する平面に存在するように設けられる。
【００２７】
好ましい実施形態において、ノズル箱は、ガス排出用の吸込み開口を備え、かつノズル箱は、ノズル箱上に複数のノズルユニットを備える。好ましくは、ガス排出用の吸込み開口は、ノズル箱におけるノズルユニット間に設けられる。
【００２８】
ノズルユニットがノズル箱上に千鳥状に配置されて設けられ、その結果、乾燥装置内に設置されたときに、ノズルユニットが乾燥装置の幅にわたって千鳥状に配置されて設けられる、好ましい実施形態では、吸込み開口または吸込み開口の群もまた、ノズル箱上に千鳥状に配置され、ノズルユニットと交互に配置される。
【００２９】
好ましい実施形態において、ノズル箱は、複数のノズルヘッドを備える。ノズルヘッドの各々は、乾燥させるべき紙シートの平均平面に対して垂直な高温ガスの噴流を噴出する複数の（例えば４つの）直接衝突ノズルを備える。直接衝突ノズルは好ましくは、乾燥させるべき紙シートの幅方向と一致するノズル箱の方向のいくつかの線がノズルヘッドの１つの直接衝突ノズルのみを横切り、その一方で、乾燥させるべき紙シートの幅方向と一致するノズル箱の方向の他の線がその同じノズルヘッドの２つの直接衝突ノズルを横切り、かつ乾燥させるべき紙シートの幅方向と一致するノズル箱の方向の他の線がその同じノズルヘッドの直接衝突ノズルを横切らないように設けられる。このような直接衝突ノズルの配列は、直接衝突ノズルによる乾燥させるべき紙シートへの熱伝達のより良好な均一性をもたらすことを示している。好ましくは、ノズルヘッドの各々は、１つまたは２つ以上の傾斜噴射ノズル列を備え、傾斜噴射ノズル列の各々が、直線上に設けられた数多くの傾斜噴射ノズルを備える。より好ましくは、少なくとも１つの傾斜噴射ノズル列、例えば、２つの傾斜噴射ノズル列は、乾燥させるべき紙の幅方向と一致するノズル箱の方向の線上に位置合わせされる。より好ましい実施形態において、２つの傾斜噴射ノズル列は、乾燥させるべき紙の幅方向と一致するノズル箱の方向の線上に位置合わせされ、これら２つの傾斜噴射ノズル列のうちの一方の傾斜噴射ノズル列は、乾燥させるべき紙シートの移動方向に吹き出すように設けられる。他方の傾斜噴射ノズル列は、乾燥させるべき紙シートの移動方向と反対方向に吹き出すように設けられる。より好ましくは、ノズルヘッドは、追加的に、乾燥させるべき紙シートの幅方向と一致するノズル箱の方向に対して例えば１０°〜８０°の角度をなす線上に位置合わせされる少なくとも１つの列、例えば、２つの傾斜噴射ノズル列を備える。
【００３０】
本発明の第２の態様は、紙シートの、例えば塗工紙シートの、例えば板紙の、例えば塗工板紙の連続気流搬送式乾燥用の設備である。設備は、本発明の第１の態様に示すようなノズル箱を備える。ノズル箱は、紙シートの搬送用の設備内で利用可能な幅にわたって延びる。好ましくは、ノズルユニットは、紙シートの搬送用の設備内で利用可能な幅にわたってノズル箱に設けられ、その結果、ノズル箱のノズルユニットにおける、例えば、ノズルヘッドにおけるノズルが、乾燥させるべき紙シートの全幅に対応することができる。好ましくは、設備は、本発明の第１の態様に示すような２つ以上のノズル箱を備える。好ましくは、本発明の第１の態様に示すような第１の組のノズル箱は、紙シートの搬送に利用可能な平面の上方に設けられ、かつ、本発明の第１の態様による第２の組のノズル箱は、紙シートの搬送に利用可能な平面の下方に設けられる。
【００３１】
好ましい設備は、赤外線エミッタ、例えば、予混合ガス燃焼式赤外線エミッタの列と、赤外線エミッタの列または列の組み合わせ間における本発明の第１の態様に示すようなノズル箱とを備える。
【００３２】
好ましい設備は、１つまたは複数のノズル箱を備える。ノズル箱（例えば、ノズルユニット間またはノズルヘッド間）におけるおよび／またはノズル箱間における吸込み開口、例えば、円形の吸込み開口またはスリット状の吸込み開口を通る高温ガスの吸い込みのための手段が提供される。吸い込まれたガスを配管内に集めるための手段が設けられる。好ましくは、吸い込まれたガスの一部を設備から排出するための配管が設けられる。新たに供給された空気が吸い込まれたガスと混合される、設備内に新鮮な空気を供給するための手段が設けられる。ノズル箱の直接衝突ノズルによりおよび傾斜噴射ノズルにより乾燥させるべき紙シートに吹き付けられるように、新たに供給された空気と一緒に、吸い込まれたガスの少なくとも一部を１つのノズル箱にまたは複数のノズル箱に戻るように再循環させるための配管が設けられる。吸い込まれたガスと新たに供給された空気との混合物をノズル箱に供給する前に加熱するための手段が設けられる。このような手段は、例えば、熱交換器またはガスバーナとすることができる。このようなガスバーナは、吸い込まれたガスと新たに供給された空気との混合物にガスバーナの燃焼ガスが加えられるように設けることができる。ガスの流れを制御するための手段（例えばダンパ）が配管内に設けられる。
【００３３】
好ましい実施形態において、設備は、ガス排出用の吸込み開口を備える。好ましい実施形態において、設備は、紙シートの移動方向に数多くのノズル箱を備え、かつノズル箱間にガス燃焼式赤外線エミッタを備える。吸込み開口は、好ましくはノズル箱とガス燃焼式赤外線エミッタとの間に位置決めされる。
【００３４】
好ましい設備において、１つまたは２つ以上のノズル箱は、噴射方向を表しかつノズル箱の傾斜噴射ノズルの噴射衝撃を強度として有するベクトルのベクトル和が乾燥設備を通る紙シートの搬送方向と反対方向を指すように設けられる。
【００３５】
好ましい設備は、本発明の第１の態様に示すような多数のノズル箱を備える。少なくとも２つの連続するノズル箱は、２つの連続するノズル箱の第１のノズル箱におけるノズルユニットの位置と２つの連続するノズル箱の第２のノズル箱におけるノズルユニットの位置とを比較して千鳥状に配置されるノズルユニットを備える。好ましくは一連の赤外線エミッタ、より好ましくはガス燃焼式赤外線エミッタが、連続する２つのノズル箱間に位置決めされる。吸込み開口がガスの排出のためにノズル箱と一連の赤外線エミッタとの間に設けられる場合が更により好ましい。
【００３６】
本発明の第３の態様は、紙シート（例えば塗工紙シート、例えば板紙の連続乾燥のための方法であり、連続乾燥用の設備が、本発明の第２の態様に示すように使用される。方法は、連続乾燥用の設備内で紙シートを乾燥させるために設備を通して紙シート、例えば、塗工紙シートを搬送するステップを含む。紙シートは、紙シートの側縁が機械的手段により保持されずに設備内で気流搬送される。紙シートは、乾燥設備を通る紙シートの搬送方向に波状にうねる。そして、紙シートは、乾燥設備を通る紙シートの搬送方向に対して垂直な方向に波状にうねる。好ましくは、乾燥設備を通して搬送される紙シートの速度は、少なくとも５０ｍ／分、より好ましくは少なくとも１５０ｍ／分、より好ましくは少なくとも３００ｍ／分、好ましくは５００ｍ／分超である。好ましい範囲は３００〜２５００ｍ／分であり、より好ましい範囲は５００〜１５００ｍ／分である。
【００３７】
好ましい方法において、噴射方向を表しかつノズル箱の傾斜噴射ノズルの噴射衝撃を強度として有するベクトルのベクトル和は、乾燥設備を通る紙シートの搬送方向と反対方向を指す。
【００３８】
好ましくは、紙シートの移動と反対方向に流送箱の傾斜噴射ノズルにより噴出させる高温ガスの単位時間当たりの質量は、紙シートの移動方向に流送箱の傾斜噴射ノズルにより噴出させる高温ガスの単位時間当たりの質量よりも１０％超、より好ましくは２０％超、より好ましくは５０％超、より好ましくは７５％超、更により好ましくは１００％超大きい。好ましくは、紙シートの移動と反対方向にノズル箱の傾斜噴射ノズルにより噴出させる高温ガスの単位時間当たりの質量は、紙シートの移動方向にノズル箱の傾斜噴射ノズルにより噴出させる高温ガスの単位時間当たりの質量よりも１５０％未満大きい。
【図面の簡単な説明】
【００３９】
【図１】図１は、本発明の第１の態様に示すようなノズル箱の例を示す。
【図２】図２は、本発明で使用できるノズルヘッドの正面図を示す。
【図３】図３は、本発明で使用できるノズルヘッドの背面図を示す。
【図４】図４は、本発明の第１の態様に示すようなノズル箱の例を示す。
【図５】図５は、本発明の第１の態様に示すようなノズル箱の更に別の例を示す。
【図６】図６は、紙搬送方向における断面図を示す。
【図７】図７は、本発明の第１の態様に示すようなノズル箱を備える、紙シートの連続気流搬送式乾燥用の設備の例の横断面図を示す。
【図８】図８は、図６および図７の設備のノズル箱の傾斜噴射ノズルのうちの１つの傾斜噴射ノズルの噴流を表すベクトルを示す。
【図９】図９は、本発明の第１の態様に示すようなノズル箱の別の例を示す。
【図１０】図１０は、本発明の第２の態様による紙シートの連続気流搬送式乾燥用の設備の実施形態を示す。
【図１１】図１１は、本発明の第１の態様に示すようなノズル箱の実施形態を示す。
【図１２】図１２は、本発明の第２の態様による空気乾燥設備を示す。
【発明を実施するための形態】
【００４０】
図１は、本発明の第１の態様に示すようなノズル箱１００の例を示している。ノズル箱１００は、気流搬送される紙シート（板紙を含む）の連続乾燥用の、例えば、気流搬送される塗工紙シートの連続乾燥用の設備の対流乾燥領域に高温ガスを吹き出すように設けられ、かつ連続乾燥設備の幅にわたって設置されるように設けられる。ノズル箱１００は、ノズル箱上に複数のノズルユニット１０５を備える。例において、ノズルユニット１０５は、ボルト１０７およびナットによってノズル箱１００上に取り外し可能に取り付けられる、ノズルヘッド１０５である。ノズルユニットがノズル箱の材料で一体に形成されることも可能である。この例では、本発明に必ずしも必須ではないが、ノズル箱の全てのノズルヘッドが同一のノズル構成を有する。ノズルヘッド１０５は、ノズル箱上に千鳥状に配置されて設けられ、その結果、乾燥装置内に設置されたときに、ノズルユニットは、乾燥装置の幅にわたって千鳥状に配置されて設けられる。例において、ノズル箱における第１の、第３の、第５のノズルユニットは直線状に位置合わせされ、そして、第２のノズルユニットは、第１のノズルユニットと第３のノズルユニットとの間に千鳥状に配置され、第４のノズルユニットは、第３のノズルユニットと第５のノズルユニットとの間に千鳥状に配置される。偶数番目のノズルユニットは直線状に位置合わせされる。奇数番目のノズルユニットは直線状に位置合わせされるが、偶数番目のノズルユニットと比較して各々千鳥状の位置にある。ノズルユニットは、噴射方向がノズルユニット間の空間の方に向けられた傾斜噴射ノズルを備える。偶数番目のノズルユニットは、偶数番目のノズル間の空間の方向に吹き出す傾斜噴射口を備える。奇数番目のノズルユニットは、奇数番目のノズル間の空間の方向に吹き出す傾斜噴射口を備える。しかしながら、ノズル箱におけるノズルユニットまたはノズルヘッドの他の配列も可能であり、例えば、ノズルユニットまたはノズルヘッドをノズル箱上に直線状に位置合わせすることができ、例えば、その結果、乾燥装置内に設置されたときに、ノズルユニットは、乾燥装置の幅にわたって直線状に位置合わせされて設けられる。
【００４１】
図２および図３は、図１の例示的なノズル箱１００で使用されるノズルヘッド１０５の正面図（図２）および背面図（図３）をそれぞれ示している。ノズルヘッド１０５は、ボルトおよびナットによってノズルヘッドをノズル箱に交換可能に取り付けることを可能にする穿孔された孔１０３を備える。ノズルヘッド１０５は、乾燥させるべき紙シートの平均平面に対して垂直な高温ガスの噴流を噴出する４つの直接衝突ノズル１０８を備える。ノズルヘッド１０５は、乾燥させるべき紙シートの平均平面に対して傾斜角度で高温ガスの噴流を噴出するように設けられた、１２個の傾斜噴射ノズル１０９、１１０、１１１、１１２を備える。傾斜噴射ノズル１０９および１１１の噴射方向のベクトル表示を含む平面がノズルユニットの直接衝突ノズル１０８の噴射方向を表すベクトルを含まない傾斜噴射ノズル１０９および１１１が設けられる。その一方で、傾斜噴射ノズル１１１および１１２の噴射方向のベクトル表示により形成された平面はノズルユニットの直接衝突ノズル１０８の噴射方向を表すベクトルを含む。ノズル箱ヘッド１０５において、本発明に必須ではないが、直接衝突ノズル１０８は、ノズルヘッド１０５の中心部に設けられる。傾斜噴射ノズル１０９、１１０、１１１、１１２は、直接衝突ノズル１０８を取り囲む。傾斜噴射ノズル１０９および１１０は、直接衝突ノズル１０８に向けて内側に吹き出すように設けられる。傾斜噴射ノズル１０９、１１０、１１１、１１２は、直接衝突ノズル１０８を取り囲む。傾斜噴射ノズル１１１および１１２は、直接衝突ノズル１０８から離れる方向に吹き出すように設けられる。
【００４２】
ノズルヘッド１０５の内側には、高温ガス室１２２が設けられる（図３参照）。高温ガス室は、衝突ノズルによりかつ傾斜噴射ノズルにより噴出させるべき高温ガスを少なくとも１つの直接衝突ノズルおよび複数の傾斜噴射ノズルに供給するために設けられる。ノズル箱内の高温ガス室は、多数のノズルヘッド各々の空気室に高温ガスを提供するために配設される。
【００４３】
任意選択的に、ガス排出用の吸込み開口１２５は、ノズル箱１００におけるノズルヘッド１０５間に設けることができる（図１参照）。
【００４４】
図４は、本発明の第１の態様に示すようなノズル箱１００の別の例を示している。ノズル箱１００は、気流搬送される紙シートの連続乾燥用の、例えば、気流搬送される塗工紙シートの連続乾燥用の設備の対流乾燥領域に高温ガスを吹き出すように設けられ、かつ連続乾燥設備の幅にわたって設置されるように設けられる。ノズル箱１００は、ノズル箱上に複数のノズルユニット１０５を備える。例において、ノズルユニット１０６は、ボルト１０７およびナットによってノズル箱１００上に取り外し可能に取り付けられる、ノズルヘッド１０６である。ノズルユニットがノズル箱の材料で一体に形成されることも可能である。この例では、本発明に必ずしも必須ではないが、ノズル箱の全てのノズルヘッドが同一のノズル構成を有する。ノズルヘッド１０６は、ノズル箱上に千鳥状に配置されて設けられ、その結果、乾燥装置内に設置されたときに、ノズルユニットは、乾燥装置の幅にわたって千鳥状に配置されて設けられる。しかしながら、ノズル箱におけるノズルユニットまたはノズルヘッドの他の配列も可能であり、例えば、ノズルユニットまたはノズルヘッドをノズル箱上に直線状に位置合わせすることができ、例えば、その結果、乾燥装置内に設置されたときに、ノズルユニットは、乾燥装置の幅にわたって直線状に位置合わせされて設けられる。ノズルヘッド１０６は、乾燥させるべき紙シートの平均平面に対して垂直な高温ガスの噴流を噴出する直接衝突ノズル１０８を備える。各ノズルヘッド１０６は、乾燥させるべき紙シートの平均平面に対して傾斜角度で高温ガスの噴流を噴出するように設けられた、１２個の傾斜噴射ノズル１１４を備える。ノズル箱ヘッド１０６において、本発明に必須ではないが、直接衝突ノズル１０８は、ノズルヘッド１０６の中心部に設けられる。傾斜噴射ノズル１１４は、直接衝突ノズル１０８を取り囲む。傾斜噴射ノズル１１４は、傾斜噴射ノズル１１４の作動時に、傾斜噴射ノズル１１４の噴流がノズル箱１００に対して垂直な周方向に等間隔に分布する平面に存在するように設けられる。１２個の傾斜噴射ノズル１１４の各々は、使用時の各傾斜噴射ノズルの噴射方向を表すベクトルを有し、１２個の傾斜噴射ノズル１１４のベクトルの各々が３次元空間において異なる方向を有する。ノズルヘッド１０６の内側には、高温ガス室が設けられる。高温ガス室は、衝突ノズルによりかつ傾斜噴射ノズルにより噴出させるべき高温ガスを少なくとも１つの直接衝突ノズルおよび複数の傾斜噴射ノズルに供給するために設けられる。ノズル箱内の高温ガス室は、多数のノズルヘッド各々の空気室に高温ガスを提供するために配設される。任意選択的に、ガス排出用の吸込み開口は、ノズル箱１００におけるノズルヘッド１０６間に設けることができる。代替的に、乾燥設備には、特定の吸込み箱を１つまたは複数のノズル箱と位置合わせして取り付けることができる。
【００４５】
図５は、本発明の第１の態様に示すようなノズル箱１００の更に別の例を示している。ノズル箱１００は、ノズル箱上に直線状に位置合わせされるノズルユニット１０５を備え、その結果、乾燥装置内に設置されたときに、ノズルユニット１０５は、乾燥装置の幅にわたって直線状に位置合わせされて設けられる。任意選択的に、ノズル箱には、ノズルユニット間に吸込みユニット１２５が設けられる。
【００４６】
図６は、紙搬送方向における断面図６００を示しており、かつ図７は、（例えば、図１または図４の例に示すように）本発明の第１の態様に示すような複数のノズル箱６７０、７７０を備える、紙シート（例えば、塗工紙シート）の連続気流搬送式乾燥用の設備の例の横断面図７００を示している。ノズル箱６７０は、紙シート６５０、７５０の搬送用の設備内で利用可能な幅にわたって延びる。ノズル箱７７０は、支持構造体７７２に短手方向に取り付けられる。この例において、本発明の第１の態様に示すような第１の組のノズル箱は、紙シートの搬送に利用可能な平面の上方に設けられ、かつ、本発明の第１の態様による第２の組のノズル箱は、紙シートの搬送に利用可能な平面の下方に設けられる。塗工紙シート６５０は、矢印６６０で示された方向に設備内を通り抜ける。必須ではないが、設備は、赤外線エミッタ６８０、例えば、予混合ガス燃焼式赤外線エミッタの列をノズル箱６７０間に備える。紙シート６５０、７５０は、紙シートの縁が機械的手段により保持されずに設備内で気流搬送される。紙シート６５０、７５０は、乾燥設備を通る紙シートの搬送方向に波状にうねる。そして、紙シート６５０、７５０は、乾燥設備を通る紙シートの搬送方向に対して垂直な方向に波状にうねる。
【００４７】
図８は、図６および図７の設備のノズル箱のうちの１つのノズル箱の傾斜噴射ノズルの噴流を表すベクトルを示している。矢印８６０は、乾燥設備を通る紙シートの搬送方向を示している。ベクトルＶ１は、設備を通る紙シートの搬送方向に噴射成分を有する１つのノズル箱の傾斜噴射ノズルのベクトルの和を表す。ベクトルＶ２は、設備を通る紙シートの搬送方向と反対方向に噴射成分を有する同じノズル箱の傾斜噴射ノズルのベクトルの和を表す。ベクトルＶＳは、ベクトルＶ１とベクトルＶ２の和であり、乾燥設備を通る紙シートの搬送方向と反対方向の成分を有する。
【００４８】
図９は、本発明の第１の態様によるノズル箱９００の別の例を示している。ノズル箱９００は、気流搬送される紙シートの連続乾燥用の設備の対流乾燥領域に高温ガスを吹き出すように設けられ、ノズル箱９００に対する紙シートの移動方向が矢印９６０で示されている。ノズル箱９００は、ノズル箱上に複数のノズルユニット９０５を備える。ノズルユニット９０５は、ボルト９０７およびナットによってノズル箱９００上に取り外し可能に取り付けられるノズルヘッド９０５である。ノズルヘッド９０５は、ノズル箱上に千鳥状に配置されて設けられ、その結果、乾燥装置内に設置されたときに、ノズルユニットは、乾燥装置の幅にわたって千鳥状に配置されて設けられる。各ノズルヘッド９０５は、乾燥させるべき紙シートの平均平面に対して垂直な高温ガスを噴出する２つの直接衝突ノズル９０８を備える。ノズルヘッド９０５は、乾燥させるべき紙シートの平均平面に対して傾斜角度で高温ガスの噴流を噴出するように設けられた、傾斜噴射ノズル９０９、９１１、９１２を備える。傾斜噴射ノズル９０９は、紙シートの移動方向を横断する方向に高温ガス噴流を噴出するように設けられる。ベクトル９９５および９９７は、傾斜噴射ノズル９０９による噴流の噴出方向を示している。４つの傾斜噴射ノズル９１１は、紙の移動方向と反対方向である、矢印９９１で示された方向に噴流を噴出するように設けられる。２つの傾斜噴射ノズル９１２は、紙シートの移動方向に対して鋭角をなす、それぞれ矢印９９３および９９４で示された方向に吹き出す。２つの傾斜噴射ノズル９１２は、互いに離れる方向に吹き出す。噴流が紙シートの移動方向に対して鋭角をなし、かつ２つの傾斜噴射ノズル９１２が互いに離れる方向に吹き出す、傾斜噴射ノズル９１２を設けることは、紙シートの向上した乾燥効率をもたらすことを示している。
【００４９】
傾斜噴射ノズル９１２は、斜め穴を穿孔することにより鋳造ノズルヘッド９０５に設けられる。ノズル熱９０５における傾斜噴射ノズルの全ては、同じ直径の穴を穿孔することにより鋳造ノズルヘッドに設けられる。傾斜噴射ノズル９０９、９１１、９１２の全てには、ノズル熱９０５内側の高温ガス室から高温ガスが供給される。それゆえ、単位時間当たりに噴出させる高温ガスの質量は、傾斜噴射ノズル９０９、９１１、９１２の各々について同じである。その結果、紙シートの移動と反対方向に単位時間当たりに噴出させる高温ガスの質量が、紙シートの移動方向に単位時間当たりに噴出させる高温ガスの質量よりも大きい。かかる配列は、より高効率の乾燥設備を提供することを示している。
【００５０】
図１０は、本発明の第２の態様による紙シートの連続気流搬送式乾燥用の設備の実施形態１０００を示している。設備１０００は、本発明の第１の態様に示すような多数のノズル箱１０７０、１０７１を備える。２つの連続するノズル箱１０７０、１０７１は、２つの連続するノズル箱の第１のノズル箱におけるノズルユニットの位置と２つの連続するノズル箱の第２のノズル箱におけるノズルユニットの位置とを比較して千鳥状に配置されるノズルユニット１００６を備える。一連の赤外線エミッタ１０８０、好ましくはガス燃焼式赤外線エミッタが、連続する２つのノズル箱１０７０、１０７１間に位置決めされる。吸込み開口１０９０は、ガスの排出のためにノズル箱と一連の赤外線エミッタとの間に設けられる。
【００５１】
図１１は、本発明の第１の態様に示すようなノズル箱の別の例を示している。ノズル箱１１００は、気流搬送される紙シートの連続乾燥用の設備の対流乾燥領域に高温ガスを吹き出すように設けられ、ノズル箱１１００に対する紙シートの移動方向が矢印１１６０で示されている。ノズル箱１１００は、ノズル箱上に複数のノズルユニット１１０５を備える。ノズルユニット１１０５は、ノズル箱１１００上に取り外し可能に取り付けられるノズルヘッド１１０５である。ノズルヘッド１１０５には、乾燥させるべき紙とノズルヘッドとの予期せぬ接触が生じた場合の紙を損傷する危険性を防止するために鋭利な角部がない。ノズルヘッド１１０５は、ノズル箱上に千鳥状に配置されて設けられ、その結果、乾燥装置内に設置されたときに、ノズルユニットは、乾燥装置の幅にわたって千鳥状に配置されて設けられる。ノズルヘッドの各々は、乾燥させるべき紙シートの平均平面に対して垂直な高温ガスの噴流を各々噴出する４つの直接衝突ノズル１１０８を備える。直接衝突ノズルは、乾燥させるべき紙シートの幅方向と一致するノズル箱の方向のいくつかの線がノズルヘッドの１つの直接衝突ノズルのみを横切り、その一方で、乾燥させるべき紙シートの幅方向と一致するノズル箱の方向の他の線がその同じノズルヘッドの２つの直接衝突ノズルを横切り、かつ乾燥させるべき紙シートの幅方向と一致するノズル箱の方向の他の線がその同じノズルヘッドの直接衝突ノズルを横切らないように設けられる。このような直接衝突ノズルの配列は、直接衝突ノズルによる乾燥させるべき紙シートへの熱伝達のより良好な均一性をもたらすことを証明している。ノズルヘッドの各々は４つの傾斜噴射ノズル列を備え、傾斜噴射ノズル列の各々が、直線上に設けられた数多くの傾斜噴射ノズルを備える。２つの傾斜噴射ノズル列１１１０は、乾燥させるべき紙の幅方向と一致するノズル箱の方向の線上に各々位置合わせされ、これら２つの傾斜噴射ノズル列のうちの一方の列は、乾燥させるべき紙シートの移動方向に吹き出すように設けられ、かつ他方の列は、乾燥させるべき紙シートの移動方向と反対方向に吹き出すように設けられる。ノズルヘッドは、追加的に、乾燥させるべき紙の幅方向と一致するノズル箱の方向に対して例えば６０°の角度をなす線上に各々位置合わせされる２つの傾斜噴射ノズル列１１１１、１１１２を備える。ノズル（直接衝突ノズルおよび傾斜噴射ノズル）の各々は、円形開口が穿孔されたノズルヘッドの表面に対して垂直な穿孔された円形開口としてノズルヘッドに設けられる。ノズル箱には、ガス排出用の吸込み開口１１２５がノズルヘッド間に設けられる。図１１のノズル箱配列は、直接衝突ノズルのおよび傾斜噴射ノズルの特定の配列によって、塗工紙シートの乾燥効率の点で特に有益な結果を示している。
【００５２】
図１２は、本発明の第２の態様による熱風乾燥１２００設備を示している。熱風乾燥設備１２００は、ハウジング１２０１と、本発明の第１の態様による複数のノズル箱１２７０とを備える。ノズル箱（例えば、ノズルユニット間またはノズルヘッド間）におけるおよび／またはノズル箱間における吸込み開口、例えば、円形の吸込み開口またはスリット状の吸込み開口を通る高温ガスの吸い込みのための手段が提供される。吸い込まれたガスを配管１２０２内に集めるための手段が設けられる。好ましくは、吸い込まれたガスの一部を設備から排気するための配管１２０４が設けられる。配管１２１６を介して導入された、新たに供給された空気が吸い込まれたガスと混合される、設備内に新鮮な空気を供給するための手段が設けられる。ノズル箱の直接衝突ノズルによりおよび傾斜噴射ノズルにより乾燥させるべき紙シートに吹き付けられるように、新たに供給された空気と一緒に、吸い込まれたガスの少なくとも一部を、例えばファン１２１８によって１つのノズル箱にまたは複数のノズル箱に戻るように再循環させるための配管１２２４が設けられる。吸い込まれたガスと新たに供給された空気との混合物をノズル箱に供給する前に加熱するための手段１２２０が設けられる。このような手段は、例えば、熱交換器またはガスバーナとすることができる。このようなガスバーナは、吸い込まれたガスと新たに供給された空気との混合物にガスバーナの燃焼ガスが加えられるように設けることができる。異なる配管または管内のガスの流れを制御するための手段、図１２には図示せず、例えばダンパが配管内に設けられる。
【図１】
2018523087.tif 000003
【図２】
2018523087.tif 000004
【図３】
2018523087.tif 000005
【図４】
2018523087.tif 000006
【図５】
2018523087.tif 000007
【図６】
2018523087.tif 000008
【図７】
2018523087.tif 000009
【図８】
2018523087.tif 000010
【図９】
2018523087.tif 000011
【図１０】
2018523087.tif 000012
【図１１】
2018523087.tif 000013
【図１２】
2018523087.tif 000014
【国際調査報告】
2018523087.tif 000015
2018523087.tif 000016